(57)【要約】【課題】携帯電子機器において、形態所望のアプリケーションの起動を簡単に行えて、操作性を向上させる。【解決手段】第１及び第２の筐体を有し、第２の筐体が第１の筐体に対して閉位置から開位置に開閉可能に連結され、携帯電子機器では、選択的に複数の処理機能を実行する。開閉監視部２９では第２の筐体が開位置又は閉位置に位置するか否かを検出しており、時間計測部３０によって第２の筐体が閉位置から開位置に移動する際に要した移動時間又は開位置から閉位置に移動する際に要した移動時間を計測して、制御部２６ではこの移動時間に応じて処理機能を選択的に起動する。【選択図】      図２
2005020575.tif 000002
【特許請求の範囲】
【請求項１】
第１及び第２の筐体とを有し、前記第２の筐体が前記第１の筐体に対して閉位置から開位置に開閉可能に連結され、選択的に複数の処理機能を実行する携帯電子機器において、
前記第２の筐体が前記開位置又は前記閉位置に位置するか否かを検出する位置検出手段と、
前記第２の筐体が前記閉位置から前記開位置に移動する際に要した移動時間又は前記開位置から前記閉位置に移動する際に要した移動時間に応じて、前記処理機能を選択的に起動する起動制御手段とを有することを特徴とする携帯電子機器。
【請求項２】
前記複数の処理機能に対応して、それぞれ異なる閾値が設定された記憶手段を備え、
前記起動制御手段は前記閾値のうち前記移動時間が超えない最も小さな値の閾値に応じて、前記処理機能の一つを起動するようにしたことを特徴とする請求項１に記載の携帯電子機器。
【請求項３】
前記閾値を前記記憶手段に設定するための設定手段を有することを特徴とする請求項２に記載の携帯電子機器。
【請求項４】
第１及び第２の筐体とを有し、前記第２の筐体が前記第１の筐体に対して閉位置から開位置に開閉可能に連結され、選択的に複数の処理機能を実行する携帯電子機器において、
前記第２の筐体が前記開位置又は前記閉位置に位置するか否かを検出する位置検出手段と、
前記位置検出手段によって前記第２の筐体が前記閉位置又は前記開位置から離れたことが検出されると、計時を行って計時時間を得て、該計時時間に応じて、前記処理機能に対応する表示子を表示部に表示する起動制御手段とを有することを特徴とする携帯電子機器。
【請求項５】
第１及び第２の筐体とを有し、前記第２の筐体が前記第１の筐体に対して閉位置から開位置に開閉可能に連結され、選択的に複数の処理機能を実行する携帯電子機器において、
前記第２の筐体が前記開位置又は前記閉位置に位置するか否かを検出する位置検出手段を備え、前記位置検出手段は、前記閉位置及び前記開位置の間に位置する途中位置を検出可能で、
前記位置検出手段によって、前記第２の筐体が前記途中位置に達したことが検出されると、前記閉位置又は前記開位置から前記途中位置に達するまでの移動時間に応じて前記処理機能に対応する表示子を表示部に表示する起動制御手段を有することを特徴とする携帯電子機器。
【請求項６】
前記起動制御手段は、前記位置検出手段によって前記第２の筐体が前記閉位置から離れて前記開位置に達したことが検出されるか又は前記第２の筐体が前記開位置から離れて前記閉位置に達したことが検出されると、前記表示部に表示された表示子に対応する処理機能を起動するようにしたことを特徴とする請求項４又は５に記載の携帯電子機器。
【請求項７】
前記起動制御手段は、前記位置検出手段によって前記第２の筐体が前記閉位置から離れて前記開位置に達する前に前記閉位置に戻ったことが検出されるか又は前記第２の筐体が前記開位置から離れて前記閉位置に達する前に前記開位置に戻ったことが検出されると、計時を停止してリセットするようにしたことを特徴とする請求項１〜６のいずれか１項に記載の携帯電子機器。
【請求項８】
音声及び／又はデータ通信を行う通信部を備え、
前記通信部に着信があると、前記起動制御手段は計時を停止してリセットするようにしたことを特徴とする請求項１〜７のいずれか１項に記載の携帯電子機器。
【請求項９】
第１及び第２の筐体とを有し、前記第２の筐体が前記第１の筐体に対して閉位置から開位置に開閉可能に連結され、選択的に複数の処理機能を実行する携帯電子機器において、
前記第２の筐体が前記開位置又は前記閉位置に位置するか否かを検出する位置検出手段と、
前記第２の筐体が前記閉位置又は前記開位置に位置する状態を初期位置として、該初期位置から前記第２の筐体が開閉され、前記第２の筐体が前記初期位置に復帰すると、該開閉を開始する時点で起動されていた前記処理機能を再度起動する起動制御手段とを有することを特徴とする携帯電子機器。
【発明の詳細な説明】
【０００１】
【発明の属する技術分野】
本発明は、携帯無線端末装置等の携帯電子機器に関し、特に、第１及び第２の筐体を備えて、これら第１及び第２の筐体が開閉可能に連結された携帯電子機器に関するものである。
【０００２】
【従来の技術】
一般に、携帯無線端末装置等の携帯電子機器において、第１及び第２の筐体を備え、第１の筐体に対して第２の筐体が開閉可能に連結されたものが知られており、例えば、携帯電話機においては、第１の筐体の一面に複数の操作キーを有する操作部が配置され、第２の筐体の一面に液晶パネル等の表示部（第１の表示部（メイン表示部）が配置されている。
【０００３】
この種の携帯電話機においては、第１及び第２の筐体が閉じられた際においても、表示機能が損なわれないようにするため、別に第２の表示部（サブ表示部）を設けて、第２の筐体が閉じられた際には、第２の表示部に主要な情報を表示するようにしている。
【０００４】
さらに、第２の表示部を、第１及び第２の表示部を連結するヒンジ部内部の空洞に設けるようにしたものがあり、このような携帯電話機においては、第２の筐体の開閉を検知して、第１及び第２の表示部への表示を選択的に切り替えるようにしている（特許文献１参照）。
【０００５】
【特許文献１】
特開２００１−３０８９９２公報（段落（０００８）〜段落（００１１）、第１図及び第２図）
【０００６】
【発明が解決しようとする課題】
ところで、上述のような携帯電子機器においては、例えば、ユーザが電子メールの送信等所望のアプリケーションを起動させるためには、第２の筐体を開いて操作部及びメイン表示部を露出させた後、操作部を操作して所望のアプリケーションを起動させる必要がある。
【０００７】
つまり、従来の携帯電子機器においては、ユーザが所望のアプリケーションを起動する際には、少なくとも数段階の操作ステップを踏まなければならず、アプリケーション起動の際の操作性が悪いという課題がある。
【０００８】
特に、ユーザの使用頻度が高いアプリケーションを起動する際においても、数段階の操作ステップを踏む必要があり、使用頻度が高いに関わらず、アプリケーションの起動に時間が掛かってしまうという課題がある。
【０００９】
本発明の目的は、所望のアプリケーションの起動を短時間で行え、操作性の良好な携帯電子機器を提供することにある。
【００１０】
【課題を解決するための手段】
本発明によれば、第１及び第２の筐体とを有し、前記第２の筐体が前記第１の筐体に対して閉位置から開位置に開閉可能に連結され、選択的に複数の処理機能を実行する携帯電子機器において、前記第２の筐体が前記開位置又は前記閉位置に位置するか否かを検出する位置検出手段と、前記第２の筐体が前記閉位置から前記開位置に移動する際に要した移動時間又は前記開位置から前記閉位置に移動する際に要した移動時間に応じて前記処理機能を選択的に起動する起動制御手段とを有することを特徴とする携帯電子機器が得られる。
【００１１】
さらに、本発明では、前記複数の処理機能に対応してそれぞれ異なる閾値が設定された記憶手段を備え、前記起動制御手段は前記閾値のうち前記移動時間が超えない最も小さな値の閾値に応じて前記処理機能の一つを起動することが好ましい。また、前記閾値を前記記憶手段に設定するための設定手段が備えられていることも好ましい。
【００１２】
また、本発明によれば、第１及び第２の筐体とを有し、前記第２の筐体が前記第１の筐体に対して閉位置から開位置に開閉可能に連結され、選択的に複数の処理機能を実行する携帯電子機器において、前記第２の筐体が前記開位置又は前記閉位置に位置するか否かを検出する位置検出手段と、前記位置検出手段によって前記第２の筐体が前記閉位置又は前記開位置から離れたことが検出されると、計時を行って計時時間を得て、該計時時間に応じて、前記処理機能に対応する表示子を表示部に表示する起動制御手段とを有することを特徴とする携帯電子機器が得られる。
【００１３】
また、本発明によれば、第１及び第２の筐体とを有し、前記第２の筐体が前記第１の筐体に対して閉位置から開位置に開閉可能に連結され、選択的に複数の処理機能を実行する携帯電子機器において、前記第２の筐体が前記開位置又は前記閉位置に位置するか否かを検出する位置検出手段を備え、前記位置検出手段は、前記閉位置及び前記開位置の間に位置する途中位置を検出可能で、前記位置検出手段によって、前記第２の筐体が前記途中位置に達したことが検出されると、前記閉位置又は前記開位置から前記途中位置に達するまでの移動時間に応じて前記処理機能に対応する表示子を表示部に表示する起動制御手段を有することを特徴とする携帯電子機器が得られる。
【００１４】
さらに、本発明では、前記起動制御手段は、前記位置検出手段によって前記第２の筐体が前記閉位置から離れて前記開位置に達したことが検出されるか又は前記第２の筐体が前記開位置から離れて前記閉位置に達したことが検出されると、前記表示部に表示された表示子に対応する処理機能を起動するようにしてもよい。
【００１５】
なお、前記起動制御手段は、前記位置検出手段によって前記第２の筐体が前記閉位置から離れて前記開位置に達する前に前記閉位置に戻ったことが検出されるか又は前記第２の筐体が前記開位置から離れて前記閉位置に達する前に前記開位置に戻ったことが検出されると、前記計時を停止してリセットすることが好ましい。また、音声及び／又はデータ通信を行う通信部を有する際には、前記通信部に着信があると、前記起動制御手段は前記計時を停止してリセットすることも好ましい。加えて、本発明よれば、第１及び第２の筐体とを有し、前記第２の筐体が前記第１の筐体に対して閉位置から開位置に開閉可能に連結され、選択的に複数の処理機能を実行する携帯電子機器において、前記第２の筐体が前記開位置又は前記閉位置に位置するか否かを検出する位置検出手段と、前記第２の筐体が前記閉位置又は前記開位置に位置する状態を初期位置として、該初期位置から前記第２の筐体が開閉され、前記第２の筐体が前記初期位置に復帰すると、該開閉を開始する時点で起動されていた前記処理機能を再度起動する起動制御手段とを有することを特徴とする携帯電子機器が得られる。
【００１６】
【発明の実施の形態】
以下、本発明の実施の形態について図面を参照して説明する。但し、この実施の形態に記載されている構成部品の寸法、材質、形状、その相対配置などは特に特定的な記載がない限り、この発明の範囲をそれのみに限定する趣旨ではなく、単なる説明例に過ぎない。
【００１７】
図１を参照して、まず、本発明による携帯電子機器の第１の例について説明する。ここでは、携帯電子機器として携帯電話機を例に挙げて説明するが、他の携帯電子機器、例えば、ＰＤＡ等においても同様にして本発明を適用できる。図示の携帯電話機は、第１及び第２の筐体１１及び１２を有しており、第１及び第２の筐体１１及び１２はヒンジ１３によってヒンジ１３を回動軸として図１（ａ）において略水平方向に回動可能（ここでは、表示部２１の面と略平行な面への回転）に連結されている（図１（ａ）においては、第１の筐体１１は第２の筐体１２に隠れた状態である）。
【００１８】
図１（ａ）は携帯電話機が閉じられた状態を示しており（この位置を閉位置と呼ぶ）、第２の筐体１２の表面には、液晶パネル等の表示部２１が配置されている。そして、第２の筐体１２をヒンジ１３回りに回動すると、つまり、第２の筐体１２を開状態方向に回動すると、図１（ａ）から、図１（ｂ）、図１（ｃ）を経由して図１（ｄ）に示す状態へと変化して、第２の筐体が完全に開かれた位置（以下開位置と呼ぶ）に達する。
【００１９】
図１（ｄ）に示す状態においては、第１の筐体１１の表面に配置された操作部２２が完全に露出した状態となり、この操作部２２を操作して各種アプリケーション（処理機能）の実行を行うことができる。なお、図示はしないが操作部２２には複数の操作キー等が備えられている。
【００２０】
図１（ｅ）に示すように、ヒンジ１３の回りには複数個（図示の例では四個）の位置検知センサ（この位置検知検査は、例えば、スイッチ接点である）２３ａ〜２３ｄが配置されており、位置検知センサ２３ａ〜２３ｃは９０度の角度間隔をもって第１の筐体１１側に配置され、位置検知センサ２３ｄは第２の筐体１２側に配置されている（なお、位置検知センサ２３ｂは必要に応じて配置され、以下に説明する第１の例では用いられない）。
【００２１】
図１（ａ）に示す閉状態においては、位置検知センサ２３ａ及び２３ｄは重なり合っており、図１（ｂ）に示す第２の筐体１２を９０度開いた状態では、位置検知センサ２３ｂ及び２３ｄが重なり合う状態となる。そして、さらに、第２の筐体１２を開くと、図１（ｃ）に示すように、位置検知センサ２３ｄは位置検知センサ２３ｂ及び２３ｃの間に位置し、さらに、第２の筐体１２を開き、図１（ｄ）に示すように、第２の筐体１２が開位置となると、位置検知センサ２３ｄは位置検知センサ２３ｃと重なり合う。そして、これら位置検知センサ２３ａ〜２３ｄは、後述する開閉監視部を構成する。
【００２２】
ここで、図２を参照すると、図示の携帯電話機は、無線部２４、データ処理部２５、制御部２６、音声処理部２７、メモリ２８、開閉監視部２９、時間計測部３０、スピーカ３１、及びマイク３２を備えるとともに、前述の表示部２１及び操作部２２を備えており、さらに、電池３３及び電源回路３４を有している。そして、電池３３から電源回路３４を介して無線部２４、データ処理部２５、制御部２６、音声処理部２７、及び時間計測部３０等に電力が供給されている（図２においては、電力供給ラインは示されていない）。
【００２３】
無線部２４では、アンテナ２４ａを介して音声データ、文字データ、及び画像データ等の各種通信データの送受信を行い、無線部２４によって受信された通信データは、データ処理部２５に送られて復調処理等のデータ処理が行われた後、音声処理部２７において音声データについて音声処理が行われてスピーカ３１から音声として出力される。
【００２４】
一方、文字データ又は画像データ等は制御部２６に与えられて、制御部２６では文字データ又は画像データを表示部２２に表示する。
【００２５】
携帯電話機から音声データの送信を行う際には、マイク３２から入力された音声が音声信号として音声処理部２７に与えられ、音声処理部２７で音声処理されて音声データとしてデータ処理部２５に入力される。データ処理部２５では音声データを通信データとして無線部２４に与え、通信データは無線部２４からアンテナ２４ａを介して送出される。
【００２６】
さらに、電子メール等を送信する際には、操作部２２から文字入力が行われて、メール文書が作成されると、制御部２６ではメール文書をデータ処理部２５に与え、データ処理部２５ではメール文書を通信データとして無線部２４に与え、無線部２４では通信データを、アンテナ２４ａを介して送出する。
【００２７】
メモリ２８には制御部２６で動作する制御プログラムが格納されるとともに、電子メール用アプリケーション及び電話帳登録アプリケーション等の各種アプリケーションが格納されており、これらアプリケーションは、操作部２２からの操作によって起動されるとともに、後述するようにして、第２の筐体１２の回動に応じて選択的に起動されることになる。
【００２８】
ここで、図３を参照して、ここでは、各種アプリケーションとして、電子メールアプリケーションの一種であるＥメールアプリケーション及びＣメールアプリケーション、そして、電話帳登録アプリケーションがメモリ２８に登録されているものとして説明する。
【００２９】
図１（ａ）に示すように、第２の筐体１２が閉じられた状態にある際には、位置検知センサ２３ａ及び２３ｄが重なり合っており（接触しており）、この状態では、図２に示す開閉監視部２９では第１の位置信号を制御部２６に送出する。そして、制御部２６では第１の位置信号を受けると、携帯電話機が閉じられた状態にあると認識する。
【００３０】
なお、携帯電話機が閉じられた状態にある際には、図４（ａ）に示すように、表示部２１には時刻等の情報が表示されている。
【００３１】
いま、図３及び図４を参照し、ユーザが第２の筐体１２を開方向に回動すると（ステップＳ１：開動作開始）、位置検出センサ２３ａ及び２３ｄが非接触となる。つまり、第２の筐体１２の回動に伴って、位置検知センサ２３ｄが位置検知センサ２３ｂ方向に移動する結果、位置検出センサ２３ａ及び２３ｄが非接触となって、第１の位置信号の送出が停止される。
【００３２】
制御部２６では第１の位置信号の送出が停止されると、第２の筐体１２が開方向に回動されたと認識して、時間計測部３０を起動して、時間測定を開始する（ステップＳ２）。そして、時間計測部３０によって計時された時間が測定時間として刻々制御部２６に与えられる。
【００３３】
メモリ２８に複数の閾値が、予めユーザによって設定されており、制御部２６では、この測定時間を判定して（ステップＳ３）、測定時間が第１の閾値（例えば、１秒）未満である際には、制御部２６は、Ｅメールアプリケーション用アイコン４１を表示部２１に表示する（ステップＳ４）。
【００３４】
また、測定時間が第１の閾値以上で第２の閾値（例えば、２秒）未満である際には、制御部２６は、Ｅメールアプリケーション用アイコンを消し、代わりにＣメールアプリケーション用アイコン４１を表示部２１に表示する（ステップＳ５）。そして、測定時間が第２の閾値以上であると、制御部２６は、Ｃメールアプリケーション用アイコンを消し、代わりに電話帳登録アプリケーション用アイコン４１を表示部２１に表示する（ステップＳ６）。
【００３５】
また、制御部２６では、後述するようにして、第２の筐体１２が開位置に達したか否かを判定する（ステップＳ７：開動作終了）。そして、開動作が終了していないと、制御部２６ではステップＳ３を実行することになり、開動作終了時間の長さに応じて、表示部２１に表示されるアイコンが変化することになる。
【００３６】
ユーザが第２の筐体１２を開方向にさらに回動して、位置検知センサ２３ｂ及び２３ｄが接触すると（つまり、第１の筐体１１と第２の筐体１２との位置関係が９０度となると（図１（ｂ）参照））、開閉監視部２９では第２の位置信号を制御部２６に送出する。制御部２６では第２の位置信号を受けると、第２の筐体１２が９０度回動されたと認識することになる（この第１の例では、第２の位置信号は用いられない）。
【００３７】
そして、第２の筐体１２がさらに開方向に回動されて、図１（ｃ）に示す状態を経て、図１（ｄ）に示す状態に至ると、つまり、位置検出センサ２３ｃ及び２３ｄが接触すると、開閉監視部２９では第３の位置信号を送出し、制御部２６では第３の位置信号を受けると、第２の筐体１２が開位置に達したと認識して、ステップＳ７において、開動作が終了したと判定する。開動作終了と判定すると、制御部２６では、時間計測部３０を停止して（ステップＳ８：時間測定終了）、その時間を開動作終了時間として得た後、時間計測部３０をリセットする。
【００３８】
その後、制御部２６では、開動作終了時間を判定して（ステップＳ９）、開動作終了時間が第１の閾値未満である際には、Ｅメールアプリケーションを起動し（ステップＳ１０）、開動作終了時間が第１の閾値以上で第２の閾値未満である際には、Ｃメールアプリケーションを起動する（ステップＳ１１）。そして、開動作終了時間が第２の閾値以上であると、制御部２６は、電話帳登録アプリケーションを起動することになる（ステップＳ１２）。なお、このステップＳ９では、ステップＳ３〜Ｓ８までの間にて、最終的に表示されているアイコンのアプリケーションを起動させるようにしてもよい。
【００３９】
このようにして、第２の筐体１２を閉位置から開位置へと回動する際、開位置に達するまでの時間に応じて、表示部２１に表示されるアイコンを変化させ、第２の筐体１２が開位置に達した時間に対応するアプリケーションを直ちに起動するようにしたから、ユーザが第２の筐体１２を回動して開位置に達する時間を変化させれば、起動させるアプリケーションを選択することができ、しかも起動させるアプリケーションに対応する閾値はユーザ自身によって予め設定されるから、単に第２の筐体１２を回動させるという操作だけで、所望のアプリケーションを直ちに起動でき、操作性が向上することになる。
【００４０】
ところで、第２の筐体１２が開位置に達する前に、ユーザが開動作を停止して、第２の筐体１２を閉方向に回動させて、携帯電話機を閉じた際には、つまり、制御部が前述の第３の位置信号を受けることなく、第１の位置信号を受けると、制御部２６はアイコンの表示及び当該アイコンに対応するアプリケーションの起動を行うことはない。さらに、第２の筐体１２を開方向に回動している際に、着信があると、制御部２６では制御部２６はアイコンの表示及び当該アイコンに対応するアプリケーションの起動を行うことはない。
【００４１】
なお、前述の第１及び第２の閾値は、ユーザによって操作部２２から設定され、第１の閾値は、Ｅメールアプリケーションに対応付けてメモリ２８に記憶され、第２の閾値はＣメールに対応付けてメモリ２８に記憶されることになるが、第１及び第２の閾値と各アプリケーションとの対応付けは、操作部２２からユーザが任意に行うことができ、その結果、起動させるアプリケーションの順序をユーザが任意に設定できることになる。また、逆に、起動させるべきアプリケーションをユーザが任意に設定できるようにしてもよい。
【００４２】
上述の例では、３つのアプリケーションを選択的に起動する例について説明したが、複数のアプリケーションを選択的に起動する際においても同様な処理を行うようにすればよい。つまり、Ｎ（Ｎは２以上の整数）個のアプリケーションを選択的に起動する際には、（Ｎ−１）の閾値を設定するようにすればよい。ユーザとしては、閾値を設定した上で、その閾値内にて起動されるアプリケーションを決め、その旨を表示部２１を見ながら、操作部２２により携帯電話機に入力する。すると、制御部２６は各閾値とアプリケーションを対応付けたテーブルを作成しメモリ２８に登録する。その後は、図３におけるステップＳ３の段階でこのテーブルを参照することにより実現することができる。
【００４３】
加えて、上述の例では、第２の筐体１２をヒンジ１３回りに水平に回動させる所謂水平回転型の携帯電話機について説明したが、所謂折り畳み式又はスライド式の携帯電話機等においても本発明を適用することができ、いずれにしても、第２の筐体１２を閉位置と開位置との間で移動させる携帯電話機等の携帯電子機器であれば、本発明を適用することができる。
【００４４】
そして、上述の例においては、第２の筐体１２を閉位置から開位置に回動させて、アプリケーションを起動するようにしたが、逆に、第２の筐体１２を開位置から閉位置に回動させると、アプリケーションが起動されるようにしてもよい。
【００４５】
ここで、図４を参照して、本発明による携帯電子機器の第２の例について説明する。第１の例では、第２の筐体が閉位置から開位置に回動された際、その測定時間に応じて表示部２１に表示されるアイコンを変化させて、開動作が終了とする開動作に要した時間に応じたアプリケーションを起動するようにしたが、第２の例では、図４（ａ）に示す閉位置から、第２の筐体１２が回動されて、第１の例で説明した第２の位置信号を受けると（図４（ｂ）に示す状態）、制御部２６では、時間計測部３０を停止してその測定時間を得る（以下この測定時間を中間測定時間と呼ぶ）。
【００４６】
その後、制御部２６では、第１の例で説明したように（図３のステップＳ３同様に）して、中間測定時間の判定を行い、中間測定時間が第１の閾値未満である際には、制御部２６は、図４（ｂ）に示すように、Ｅメールアプリケーション用アイコン４１を表示部２１に表示する。また、中間測定時間が第１の閾値以上で第２の閾値未満である際には、制御部２６は、Ｃメールアプリケーション用アイコン４１を表示部２１に表示する。そして、測定時間が第２の閾値以上であると、制御部２６は、電話帳登録アプリケーション用アイコン４１を表示部２１に表示する。
【００４７】
上述のようにして、選択的にアイコン表示を行った後、さらに、第２の筐体１２が回動されて、第２の筐体１２が開位置に達し、第３の位置信号を受けると、制御部２６では表示部２１に表示したアイコンに対応するアプリケーションを起動する。
【００４８】
このようにして、第２の筐体１２を開方向に回動した際、途中位置に達すると、それまでに要した時間に応じたアイコンを表示させて、第２の筐体１２が開位置に達すると、表示したアイコンに対応するアプリケーションを起動させるようにしたから、ユーザは回動途中でいずれのアプリケーションが起動されるかを容易に確認することができ、さらに操作性が向上することになる。
【００４９】
なお、第２の例における他の機能については第１の例と同様であるので説明を省略するが、第２の例において、途中位置において二つのアイコンを表示させ、一方を途中位置から開方向へ第２の筐体１２を回動させて開位置した際に起動されるアプリケーションを示すアイコンとし、他方を途中位置から閉方向へ第２の筐体１２を回動させて閉位置とした際に起動させるアプリケーションとするようにしてもよい。
【００５０】
さらに、上述第１及び第２の例ともに、第２の筐体１２の回動によるアプリケーションの起動について操作部２２から「優先」、「通常」、又は「無効」を設定することができる。
【００５１】
「優先」が設定されると、制御部２６では、例えば、アプリケーション起動中であっても、第２の筐体１２が回動されると、第２の筐体１２の回動によって起動が規定されるアプリケーションが起動されることになる。また、「通常」が設定されると、表示部２１に待ち受け画面が表示されている際にのみ、第２の筐体１２が回動されると、制御部２６は第２の筐体１２の回動によって起動が規定されるアプリケーションを起動することになる。そして、「無効」が設定されると、第２の筐体１２が回動されても、制御部２６は第２の筐体１２の回動によって起動が規定されるアプリケーションを起動しない。なお、第２の位置信号は仮に９０°としたが、開／閉の途中位置ならばよいことは言うまでもない。また、制御部２６では、第２の筐体１２が閉位置又は開位置に位置する状態を初期位置とした際に、初期位置から第２の筐体１２が開閉されると、起動状態にあったアプリケーションを一旦停止して、再度第２の筐体１２が初期位置に復帰すると、上記の開閉を開始する時点で起動されていたアプリケーションを起動するようにしてもよい。
【００５２】
【発明の効果】
以上、説明したように、本発明では、第２の筐体を回動するだけで、その回動時間に応じた処理機能が起動される結果、所望の処理機能の起動を速やかに行うことができ、操作性を向上させることができるという効果がある。
【図面の簡単な説明】
【図１】本発明による携帯電子機器の例である携帯電話機の一例を示す図であり、（ａ）は閉じた状態を示す図、（ｂ）は９０度開いた状態を示す図、（ｃ）は（ｂ）に示す状態よりもさらに開いた状態を示す図、（ｄ）は完全に開いた状態を示す図、（ｅ）は位置検知センサの取り付け位置を示す図である。
【図２】図１に示す携帯電話機の機能を説明するためのブロック図である。
【図３】図１に示す携帯電話機の動作の第１の例を説明するための図である。
【図４】図１に示す携帯電話機の動作の第２の例を説明するための図であり、（ａ）は閉じた状態を示す図、（ｂ）は９０度開いた状態を示す図、（ｃ）は完全に開いた状態を示す図である。
【符号の説明】
１１，１２  筐体
１３  ヒンジ
２１  表示部
２２  操作部
２３ａ〜２３ｄ  位置検知センサ
２４  無線部
２５  データ処理部
２６  制御部
２７  音声処理部
２８  メモリ
２９  開閉監視部
３０  時間計測部
３１  スピーカ
３２  マイク
３３  電池
３４  電源回路
【図１】
2005020575.tif 000003
【図２】
2005020575.tif 000004
【図３】
2005020575.tif 000005
【図４】
2005020575.tif 000006